(57)【特許請求の範囲】
【請求項１】
秘匿情報欄を有する基材と、
前記基材の周縁部の一部又は全部に設けられ、前記秘匿情報欄を内部に隠蔽するように折り畳まれた前記基材を強接着する強接着部と、
前記基材の一部であって、前記強接着部と対向する部分の少なくとも一部に設けられ、前記強接着部の開封の履歴を残す開封履歴残存部と、
を備え、
前記開封履歴残存部は、
前記強接着部との接着性が強い第１のエリアと、
前記強接着部との接着性が前記第１のエリアよりも弱い第２のエリアとを備えること、
を特徴とする開封履歴機能付き情報隠蔽用シート。
【請求項２】
請求項１に記載の開封履歴機能付き情報隠蔽用シートにおいて、
前記第１のエリアと前記第２のエリアとの境界部分に、前記基材を貫通しないように設けられたカット線を備えること、
を特徴とする開封履歴機能付き情報隠蔽用シート。
【請求項３】
請求項２に記載の開封履歴機能付き情報隠蔽用シートにおいて、
前記カット線で囲まれた部分は、１ｍｍ以上の幅を有すること、
を特徴とする開封履歴機能付き情報隠蔽用シート。
【請求項４】
請求項１から請求項３までのいずれか１項に記載の開封履歴機能付き情報隠蔽用シートにおいて、
前記第１のエリア及び／又は前記第２のエリアは、着色されていること、
を特徴とする開封履歴機能付き情報隠蔽用シート。
【請求項５】
請求項４に記載の開封履歴機能付き情報隠蔽用シートにおいて、
前記第１のエリアと前記第２のエリアとは、その色相が略同一であること、
を特徴とする開封履歴機能付き情報隠蔽用シート。
【請求項６】
請求項１から請求項５までのいずれか１項に記載の開封履歴機能付き情報隠蔽用シートにおいて、
前記第１のエリア及び／又は前記第２のエリアは、文字、図形、記号のうち少なくとも１つによって形成されていること、
を特徴とする開封履歴機能付き情報隠蔽用シート。
【請求項７】
請求項１から請求項６までのいずれか１項に記載の開封履歴機能付き情報隠蔽用シートにおいて、
前記第１のエリアには、紫外線硬化型のインキ層が設けられておらず、
前記第２のエリアには、紫外線硬化型のインキ層が設けられていること、
を特徴とする開封履歴機能付き情報隠蔽用シート。
【請求項８】
請求項１から請求項７までのいずれか１項に記載の開封履歴機能付き情報隠蔽用シートにおいて、
前記第１のエリアには、剥離性を有さないインキ層が設けられ、
前記第２のエリアには、剥離性を有するインキ層が設けられていること、
を特徴とする開封履歴機能付き情報隠蔽用シート。
【請求項９】
請求項１から請求項８までのいずれか１項に記載の開封履歴機能付き情報隠蔽用シートにおいて、
前記秘匿情報欄を内部に隠蔽するように折り畳まれた前記基材を一時的に貼り合わせておくための再剥離再貼付粘着層を備えること、
を特徴とする開封履歴機能付き情報隠蔽用シート。
【発明の詳細な説明】
【技術分野】
【０００１】
本発明は、個人情報等を保護するのに好適な開封履歴機能付き情報隠蔽用シートに関するものである。
【背景技術】
【０００２】
住所変更届や資料申込み等、個人がサービス業者等に対して申請をしたり、申込みを行ったりする場合には、どうしても本人を特定するための個人情報の記載が少なからず必要である。
しかし、個人情報保護意識の高まりもあるので、個人情報部分について何の配慮もない申込書では、申込みそのものを断念してしまう場合がある。また、申込者自身が封筒と切手を別に用意して、これに申込書を同封して送る、といったような場合もある。前者ではサービス業者として売上げ減少につながり、後者では顧客満足度の低下につながる可能性があり、前述した届出書や申込書には何らかの個人情報保護ツールが必要不可欠となってきている。
【０００３】
そこで、近年特に需要が多いのが、再剥離再貼付糊を利用した情報隠蔽はがきである（例えば、特許文献１）。それまで付箋としてしか使用されていなかった再剥離再貼付糊を利用し、再剥離再貼付糊の設けられた隠蔽ラベル片を個人情報欄に重ね合わせて一時的な隠蔽を図るものである。
個人がサービス業者に申込みをする、という場面では、最終的にサービス業社内で開封されて目視されるものであるため、再剥離再貼付糊を利用した隠蔽ラベルはある意味では非常に合理的な隠蔽ラベルと言え、コストが安価であることもあって、利用範囲が広がってきている。
【０００４】
しかし、再剥離再貼付ラベルは、何度も貼り直しができてしまうので、用途によっては一度開封したら貼り戻せないラベルに切り替えたり、封書に切り替えたりしているものもある。ただし、貼り戻せないラベルは、再剥離再貼付ラベルより高価であり、仕様やロットにもよるものの、多くの場合は価格が１．５〜２倍程度になってしまう。また、封書の場合は、郵券代が５０円から８０円に上昇してしまい、やはり限定的な利用にならざるを得なかった。
【特許文献１】特開２００４−１０２１８８号公報
【発明の開示】
【発明が解決しようとする課題】
【０００５】
そこで、再剥離再貼付式隠蔽はがきのセキュリティ性を高めるべく、本件発明者等は、種々の提案をし、既に出願をしている。例えば、周縁部に強粘着部を設ける方法である。
この方法によれば、郵便規則による第２種郵便（はがき）の条件（全面密着）を満たしながら、内面を再剥離可能な部分とし、周縁部を剥離不能部分（強接着部）とすることができるため、セキュリティ性を高めることができる。
多くの場合、強接着部分と再剥離再貼付糊部分との境界線近傍に開封用ミシン目（多くの場合は、カットとアンカットがともに０．２ｍｍ程度のマイクロミシン目）を設けておき、はがきを受け取ったサービス業者が当該部分を折り曲げる、又は、断裁して残った再剥離再貼付部分を剥離する、といった使い方をしている。
【０００６】
この部分的に強接着部を設けた情報隠蔽用はがきは、非常に有効に利用できるものであるが、運用面で以下のような課題があった。
（１）強接着部の貼り合わせ方が弱いと、再剥離再貼付糊のように開封できてしまう場合があり、このときは必ずしもセキュリティ性が高くなかった。特に、粘着剤を印刷方式で設けた場合、塗布量も多くしにくく、また塗布面質・平滑性が悪くなりやすいために、一般的なタック紙を使用する場合と比べ、接着性が不足しやすい傾向にあった。
（２）サービス業者で開封する際に、折り曲げたり、断裁したり、といった手間が必要となり、大量に受け取った場合には処理そのものが面倒であった。
そこで、本件発明者等は、上述した課題を解決するべく鋭意検討した結果、本願を完成させたものであり、その課題は、強接着部の貼り合わせが十分でない場合であっても、セキュリティ性を確保することができる開封履歴機能付き情報隠蔽用シートを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、秘匿情報欄（１２）を有する基材（１１）と、前記基材（１１）の周縁部の一部又は全部に設けられ、前記秘匿情報欄（１２）を内部に隠蔽するように折り畳まれた前記基材（１１）を強接着する強接着部（１４）と、前記基材（１１）の一部であって、前記強接着部（１４）と対向する部分の少なくとも一部に設けられ、前記強接着部（１４）の開封の履歴を残す開封履歴残存部（１７）と、を備え、前記開封履歴残存部（１７）は、前記強接着部（１４）との接着性が強い第１のエリア（Ａ）と、前記強接着部（１４）との接着性が前記第１のエリア（Ａ）よりも弱い第２のエリア（Ｂ）とを備えること、を特徴とする開封履歴機能付き情報隠蔽用シートである。
請求項２の発明は、請求項１に記載の開封履歴機能付き情報隠蔽用シートにおいて、前記第１のエリア（Ａ）と前記第２のエリア（Ｂ）との境界部分に、前記基材（１１）を貫通しないように設けられたカット線（ｈｃ）を備えること、を特徴とする開封履歴機能付き情報隠蔽用シートである。
請求項３の発明は、請求項２に記載の開封履歴機能付き情報隠蔽用シートにおいて、前記カット線（ｈｃ）で囲まれた部分は、１ｍｍ以上の幅を有すること、を特徴とする開封履歴機能付き情報隠蔽用シートである。
請求項４の発明は、請求項１から請求項３までのいずれか１項に記載の開封履歴機能付き情報隠蔽用シートにおいて、前記第１のエリア（Ａ）及び／又は前記第２のエリア（Ｂ）は、着色されていること、を特徴とする開封履歴機能付き情報隠蔽用シートである。
請求項５の発明は、請求項４に記載の開封履歴機能付き情報隠蔽用シートにおいて、前記第１のエリア（Ａ）と前記第２のエリア（Ｂ）とは、その色相が略同一であること、を特徴とする開封履歴機能付き情報隠蔽用シートである。
請求項６の発明は、請求項１から請求項５までのいずれか１項に記載の開封履歴機能付き情報隠蔽用シートにおいて、前記第１のエリア（Ａ）及び／又は前記第２のエリア（Ｂ）は、文字、図形、記号のうち少なくとも１つによって形成されていること、を特徴とする開封履歴機能付き情報隠蔽用シートである。
請求項７の発明は、請求項１から請求項６までのいずれか１項に記載の開封履歴機能付き情報隠蔽用シートにおいて、前記第１のエリア（Ａ）には、紫外線硬化型のインキ層が設けられておらず、前記第２のエリア（Ｂ）には、紫外線硬化型のインキ層が設けられていること、を特徴とする開封履歴機能付き情報隠蔽用シートである。
請求項８の発明は、請求項１から請求項７までのいずれか１項に記載の開封履歴機能付き情報隠蔽用シートにおいて、前記第１のエリア（Ａ）には、剥離性を有さないインキ層が設けられ、前記第２のエリア（Ｂ）には、剥離性を有するインキ層が設けられていること、を特徴とする開封履歴機能付き情報隠蔽用シートである。
請求項９の発明は、請求項１から請求項８までのいずれか１項に記載の開封履歴機能付き情報隠蔽用シートにおいて、前記秘匿情報欄（１２）を内部に隠蔽するように折り畳まれた前記基材（１１）を一時的に貼り合わせておくための再剥離再貼付粘着層（１５）を備えること、を特徴とする開封履歴機能付き情報隠蔽用シートである。
【発明の効果】
【０００８】
本発明によれば、強接着部と対向する部分の少なくとも一部に、強接着部の開封の履歴を残す開封履歴残存部を設けたので、強接着部で開封したような場合には、その事実が明確となり、セキュリティ性を確保することができる。
また、接着性が強い第１のエリアと、接着性が弱い第２のエリアとを備えるので、強接着部の接着性が十分でない場合であっても、開封履歴を残しやすい。
さらに、第１のエリアと第２のエリアとの境界部分にカット線を設けることによって、開封履歴をより残りやすいものとすることができる。
【発明を実施するための最良の形態】
【０００９】
本発明は、強接着部の貼り合わせが十分でない場合であっても、セキュリティ性を確保することができる開封履歴機能付き情報隠蔽用シートを提供するという目的を、強粘着剤と対向する基材の一部に、開封の履歴を残す開封履歴残存部を設けることにより実現する。
【実施例】
【００１０】
以下、図面等を参照して、本発明の実施例について、さらに詳しく説明する。
図１は、本発明による開封履歴機能付き情報隠蔽用シートの実施例を示す図であり、図２は、開封履歴機能付き情報隠蔽用シート１０の封緘状態と開封状態とを示す図である。
本実施例の開封履歴機能付き情報隠蔽用シート１０は、基材１１と、強粘着剤（強接着部）１４と、再剥離再貼付糊（再剥離再貼付粘着層）１５と、保護シート１６と、開封履歴残存部１７等とを備える。
【００１１】
基材１１は、記入欄（秘匿情報欄）１２と、折りミシン目１３とを有するシートであり、記入欄１２には、個人情報が記入され、使用時には、折りミシン目１３で２つ折りされる。
強粘着剤１４は、基材１１の左端部に設けられ、記入欄１２を内部に隠蔽するように２つ折りされた基材１１を強接着して封緘する粘着剤である。
再剥離再貼付糊１５は、基材１１の左半分（強粘着剤１４部分を除く）に設けられ、２つ折りされた基材１１を一時的に貼り合わせておくための糊である。
保護シート１６は、強粘着剤１４及び再剥離再貼付糊１５を使用時まで保護するシートである。
【００１２】
開封履歴残存部１７は、基材１１の一部であって、強粘着剤１４と対向する部分（基材１１の右端部）に設けられ、強粘着剤１４の開封の履歴を残すための部分である。
また、開封履歴残存部１７は、強粘着剤１４との接着性が強いエリアＡ（第１のエリア）と、強粘着剤１４との接着性がエリアＡよりも弱いエリアＢ（第２のエリア）とを備える。
エリアＡとエリアＢにおける、強粘着剤１４との接着性の差異の設け方は、以下のような方法で実現することができる。
（１）エリアＡ（紫外線硬化型インキなし）−エリアＢ（紫外線硬化型インキあり）
（２）エリアＡ（非剥離性インキ）−エリアＢ（剥離性インキ）
いずれの方法であっても、エリアＡの接着性がエリアＢの接着性よりも強くなる。
【００１３】
また、開封履歴残存部１７は、エリアＡとエリアＢとの境界部分に、基材１１を貫通しないように設けられたハーフカット（カット線）ｈｃを備える。
さらに、エリアＡ及びエリアＢは、着色されており、エリアＡとエリアＢとは、その色相が略同一である（例えば、青色と紺色）。
エリアＡは、「ＶＯＩＤ」の文字によって形成され、「ＶＯＩＤ」の文字部分（ハーフカットｈｃで囲まれた部分）は、１ｍｍ以上の幅を有する。
【００１４】
次に、本実施例による開封履歴機能付き情報隠蔽用シート１０の使用方法を説明する。
まず、記入欄１２に必要事項を記入する。
ついで、保護シート１６を剥がす。
さらに、記入欄１２が内側になるように、基材１１を折りミシン目１３で２つ折りする。
そして、強粘着剤１４と再剥離再貼付糊１５とによって、開封履歴機能付き情報隠蔽用シート１０を封緘すると、図２（Ａ）に示すような状態となる。
この状態で、ポストに投函したり、申込事業者に渡したりする。
ここで、強粘着剤１４の貼り合わせ方が弱かったり、また、無理やりに強粘着剤１４部分で開封されてしまった場合であっても、エリアＡの接着性の方がエリアＢの接着性よりも強いので、図２（Ｂ）に示すように、基材１１の一部１１ａが破壊されて剥がれ、開封履歴を残すことができる。
【００１５】
このように、本実施例によれば、強粘着剤１４を貼り込む部分の接着性を調整し、かつ、所定のハーフカットｈｃを設けることで、接着性が十分でなくとも開封履歴が残るようになり、セキュリティ性を高めることができる。
特に、強粘着剤１４を印刷方式で設けた場合、塗布量も多くしにくく、塗布面質・平滑性が悪くなりやすいが、このような場合であっても、開封履歴を明確に残すことができる。
また、再剥離再貼付糊１５によって簡単に開封することができるので、開封者の手間を軽減させることができる。
さらに、エリアＡとエリアＢの色相を近似させておくことにより、貼って剥がすまでは履歴を残せること自体をわかりにくくすることができる。
さらにまた、エリアＡを文字とすることによって、開封履歴をよりわかりやすいものとすることができる。
一方、エリアＡの文字部分を１ｍｍ以上の幅とすることによって、文字部分を確実に剥がし取ることができる。
【００１６】
（変形例）
以上説明した実施例に限定されることなく、種々の変形や変更が可能であって、それらも本発明の均等の範囲内である。
（１）強粘着剤１４は、基材１１の全周縁部に設けてもよい。
（２）開封履歴残存部１７は、強粘着剤１４と対向する部分の一部のみに設けてもよい。
（３）再剥離再貼付糊１５を用いていない開封履歴機能付き情報隠蔽用シートであってもよい。
【００１７】
（４）基材１１の一部が剥がれやすい材質のものであれば、接着性を調整せずに、ハーフカットｈｃだけを設けて開封履歴残存部としてもよい。
（５）基材１１を貫通する切り込み（くの字の切り込みや、十字の切り込み等）を設けて開封履歴残存部としてもよい。
（６）エリアＡ及びエリアＢは、無着色であってもよい。
（７）「ＶＯＩＤ」の文字部分が剥がれる例で説明したが、エリアＡとエリアＢとの接着性の強弱を逆にして、「ＶＯＩＤ」の文字部分を残存させてもよい。また、出現させるものは、文字に限らず、図形や記号等であってもよい。
【図面の簡単な説明】
【００１８】
【図１】本発明による開封履歴機能付き情報隠蔽用シートの実施例を示す図である。
【図２】開封履歴機能付き情報隠蔽用シート１０の封緘状態と開封状態とを示す図である。
【符号の説明】
【００１９】
１０  開封履歴機能付き情報隠蔽用シート
１１  基材
１２  記入欄（秘匿情報欄）
１３  折りミシン目
１４  強粘着剤（強接着部）
１５  再剥離再貼付糊（再剥離再貼付粘着層）
１６  保護シート
１７  開封履歴残存部
Ａ  エリア（第１のエリア）
Ｂ  エリア（第２のエリア）
【図１】
0004775050.tif 000002
【図２】
0004775050.tif 000003